(57)【要約】【課題】規則性はあるものの、日によって運転を開始／停止すべき指定時刻が異なる場合の予約設定の際、前回の当該日の指定時刻が表示され、指定時刻の設定の操作が省略でき、予約設定の操作の簡略化を図ることが出来る電気機器及び電気装置を提供することにある。【解決手段】受付けた指定時刻を受付日に対応付けて記憶する指定時刻記憶手段１８と、予約指示を受付けた場合、ＣＰＵ１３が前記予約指示の受付日に対応する前回の指定時刻を前記指定時刻記憶手段１８から読み出し、表示部１２に表示するように構成する。【選択図】図１
2008206098.tif 000002
【特許請求の範囲】
【請求項１】
指定時刻に運転を開始／停止させる予約指示を受付ける予約受付手段と、前記指定時刻が表示される表示部とを備える電気機器において、
受付けた指定時刻を受付日に対応付けて記憶する指定時刻記憶手段と、
予約指示を受付けた場合、該予約指示の受付日に対応する指定時刻を前記指定時刻記憶手段から読み出し、前記表示部に表示する読出手段と
を備えることを特徴とする電気機器。
【請求項２】
予約指示を受け付けた場合、該予約指示の受付時刻が所定時刻以降か否かを判定する判定手段を備え、
所定時刻以降であると判定した場合、前記読出手段は前記予約指示の受付日の翌日に対応する指定時刻を前記指定時刻記憶手段から読み出し、前記表示部に表示するように構成してあることを特徴とする請求項１に記載の電気機器。
【請求項３】
指定時刻に電気機器の運転を開始／停止させる予約指示を受付ける予約受付手段及び前記指定時刻が表示される表示部を備え、電気機器を遠隔操作する遠隔操作装置と、該遠隔操作装置によって操作される電気機器とからなる電気装置において、
前記遠隔操作装置は、
予約指示又は指定時刻を受付けた場合、該予約指示又は指定時刻を前記電気機器に送信する送信手段と、
前記電気機器から指定時刻を受信する受信手段とを備え、
前記電気機器は、
前記遠隔操作装置からの予約指示又は指定時刻を受信するデータ受信手段と、
受信した指定時刻を受信日に対応付けて記憶する指定時刻記憶手段と、
前記指定時刻記憶手段の指定時刻を前記遠隔操作装置に送信するデータ送信手段と、
予約指示を受信した場合、該予約指示の受信日に対応する指定時刻を前記指定時刻記憶手段から読み出し、前記データ送信手段に送出するデータ読出手段と
を備えることを特徴とする電気装置。
【請求項４】
前記電気機器は、
前記遠隔操作装置から予約指示を受信した場合、該予約指示の受信時刻が所定時刻以降か否かを判定する判定手段を備え、
所定時刻以降であると判定した場合、前記データ読出手段は、前記予約指示の受信日の翌日に対応する指定時刻を前記指定時刻記憶手段から読み出し、前記データ送信手段に送出するように構成してあることを特徴とする請求項３に記載の電気装置。
【発明の詳細な説明】
【技術分野】
【０００１】
本発明は、予約指示を受付ける予約受付手段及び受付けた予約指示に係る指定時刻が表示される表示部を備える電気機器と、電気機器を遠隔操作する遠隔操作装置及び該遠隔操作装置によって予約運転される電気機器からなる電気装置に関する。
【背景技術】
【０００２】
テレビジョン受像機、空気調和機、炊飯器などの電気機器には予約機能(タイマー機能)が備えられており、ユーザの使い勝手を高めている。予約機能により所定時刻に運転が開始／停止されるように予約することができるので、生活の利便性を図ることが出来ると共に、切り忘れなどによる無駄なエネルギー消費が防止できる。
【０００３】
このような電気機器の予約機能についてはさらに新しい技術が開発されている。例えば特許文献１には、音声応答による予約を可能にし、予約設定の簡略化を図った空気調和機が提案されている。
【０００４】
また、特許文献２には、時刻、日付、曜日の暦データをのせてある標準電波を自動受信して前記暦データに基づき、内装された時計の修正、予約設定などを行う空気調和機が提案されている。
【０００５】
一方、前記電気機器の予約設定を行うには、運転を開始／停止させる指定時刻を設定する操作が必要であるが、このような指定時刻の設定の操作においても、使用上の利便性を図った機能の工夫が施されている。ユーザの操作で希望する指定時刻を受付けた場合、前記指定時刻が記憶され、次回の予約設定の際に前回の指定時刻が表示されるように構成することにより、指定時刻の設定の操作を省略できるようにしたものである。このような機能は、例えば職場の空気調和機のように略毎日同じ時間に運転の開始／停止が行われるいわゆる規則性を有する場合に効果的な機能である。
【特許文献１】特開平５−１０８４８５号公報
【特許文献２】特開２００３−１０６６２５号公報
【発明の開示】
【発明が解決しようとする課題】
【０００６】
しかしながら、上述のような機能は早出勤日及び遅出勤日がある場合、曜日によって出勤時間が異なる場合などには対応することが出来ない。つまり、規則性はあるものの、日によって運転を開始／停止すべき指定時刻が異なる場合は、予約設定の際にユーザがその都度指定時刻を設定し直す必要が生じると言った問題がある。
【０００７】
本発明は、斯かる事情に鑑みてされたものであり、ユーザが指定時刻を設定し直す必要性を低減する電気機器及び電気装置を提供することにある。
【課題を解決するための手段】
【０００８】
本発明に係る電気機器は、指定時刻に運転を開始／停止させる予約指示を受付ける予約受付手段と、前記指定時刻が表示される表示部とを備える電気機器において、受付けた指定時刻を受付日に対応付けて記憶する指定時刻記憶手段と、予約指示を受付けた場合、該予約指示の受付日に対応する指定時刻を前記指定時刻記憶手段から読み出し、前記表示部に表示する読出手段とを備えることを特徴とする。
【０００９】
本発明にあっては、例えば、ユーザの操作により受付けた指定時刻は受付日の曜日に対応付けられて前記指定時刻記憶手段に記憶される。次回にユーザによる操作が行われ、予約指示を受付けた場合、該予約指示の受付日の曜日に対応する前回の指定時刻を前記読出手段が前記指定時刻記憶手段から読み出し、前記表示部へ表示する。ユーザは指定時刻の設定の操作を別度に行うことなく、予約設定の操作を完了する。
【００１０】
本発明に係る電気機器は、予約指示を受け付けた場合、該予約指示の受付時刻が所定時刻以降か否かを判定する判定手段を備え、所定時刻以降であると判定した場合、前記読出手段は前記予約指示の受付日の翌日に対応する指定時刻を前記指定時刻記憶手段から読み出し、前記表示部に表示するように構成してあることが好ましい。
【００１１】
この場合にあっては、予約指示を受け付けた場合、前記判定手段が前記予約指示の受付時刻が所定時刻以降か否かを判定する。判定結果、所定時刻以降であると判定した場合は前記読出手段が前記予約指示の受付日の翌日の曜日に対応する指定時刻を、前記指定時刻記憶手段から読み出して前記表示部に表示する。所定時刻以降でないと判定した場合は前記読出手段が前記予約指示の受付日の曜日に対応する指定時刻を、前記指定時刻記憶手段から読み出して前記表示部に表示する。
【００１２】
本発明に係る電気装置は、指定時刻に電気機器の運転を開始／停止させる予約指示を受付ける予約受付手段及び前記指定時刻が表示される表示部を備え、電気機器を遠隔操作する遠隔操作装置と、該遠隔操作装置によって操作される電気機器とからなる電気装置において、前記遠隔操作装置は、予約指示又は指定時刻を受付けた場合、該予約指示又は指定時刻を前記電気機器に送信する送信手段と、前記電気機器から指定時刻を受信する受信手段とを備え、前記電気機器は、前記遠隔操作装置からの予約指示又は指定時刻を受信するデータ受信手段と、受信した指定時刻を受信日に対応付けて記憶する指定時刻記憶手段と、前記指定時刻記憶手段の指定時刻を前記遠隔操作装置に送信するデータ送信手段と、予約指示を受信した場合、該予約指示の受信日に対応する指定時刻を前記指定時刻記憶手段から読み出し、前記データ送信手段に送出するデータ読出手段とを備えることを特徴とする。
【００１３】
本発明にあっては、前記遠隔操作装置の予約受付手段が予約指示を受付け、前記送信手段は前記予約指示を前記電気機器のデータ受信手段に送信する。前記電気機器のデータ受信手段が前記予約指示を受信した場合、前記データ読出手段が前記予約指示の受信日に対応する指定時刻を前記指定時刻記憶手段から読み出して前記データ送信手段に送出する。前記データ送信手段は前記指定時刻を、前記遠隔操作装置の受信手段に送信する。前記遠隔操作装置は前記指定時刻を前記表示部へ表示する。ユーザは指定時刻の設定の操作を別度に行うことなく、予約設定の操作を完了する。
【００１４】
本発明に係る電気装置は、前記電気機器は、前記遠隔操作装置から予約指示を受信した場合、該予約指示の受信時刻が所定時刻以降か否かを判定する判定手段を備え、所定時刻以降であると判定した場合、前記データ読出手段は、前記予約指示の受信日の翌日に対応する指定時刻を前記指定時刻記憶手段から読み出し、前記データ送信手段に送出するように構成してあることが好ましい。
【００１５】
この場合にあっては、前記遠隔操作装置から予約指示を受信した場合、前記電気機器の前記判定手段は前記予約指示の受信時刻が所定時刻以降か否かを判定する。判定の結果、所定時刻以降であると判定した場合は前記データ読出手段が前記予約指示の受信日の翌日に対応する指定時刻を前記指定時刻記憶手段から読み出し、前記指定時刻を前記データ送信手段に送出し、前記指定時刻は前記遠隔操作装置へ送信される。所定時刻以降でないと判定した場合は前記データ読出手段が前記予約指示の受信日に対応する指定時刻を前記指定時刻記憶手段から読み出し、前記指定時刻をデータ送信手段に送出し、前記指定時刻は前記遠隔操作装置へ送信される。前記遠隔操作装置は前記指定時刻を受信し、該指定時刻が前記表示部へ表示される。
【発明の効果】
【００１６】
本発明によれば、例えば曜日によって規則的に運転の開始／停止すべき指定時刻が異なる場合の予約設定において、予約指示を受けた受付日の曜日に係る前回の指定時刻が表示部に表示されるので、ユーザが指定時刻の設定の操作を行う必要がなくなり、予約設定の操作の簡略化を図ることが出来る。
【００１７】
本発明によれば、予約指示を受け付けた受付時刻が所定時刻以降か否かを判定し、所定時刻以降であると判定した場合は前記読出手段（又はデータ読出手段）が前記予約指示の受付日（受信日）の翌日に対応する指定時刻を指定時刻記憶手段から読み出し、前記指定時刻が表示部に表示するように構成することにより、翌日に対する予約設定である可能性が高い場合、例えば午後１１時以降又は、当日の指定時刻以降に予約指示を受付けた場合は該予約指示の受付日（受信日）の翌日に対応する指定時刻を前記表示部に表示し、翌日の予約設定に対しても予約設定の操作の簡略化を図ることが出来る。
【発明を実施するための最良の形態】
【００１８】
（実施の形態１）
以下、電気機器を遠隔操作するリモートコントロールユニット（以下、リモコンという）を本発明の実施の形態１に係る電気機器の例として説明する。前記リモコンはある工場の空気調和機を遠隔操作するものであり、前記空気調和機は月曜日から日曜日まで運転されるが、曜日によって異なる定時に運転が開始されるとする。図１は本発明の実施の形態１に係るリモコンの要部構成を示すブロック図である。
【００１９】
実施の形態１に係るリモコンは、ユーザの操作によって指示を受付ける操作部１１と、温度、指定時刻などが表示される表示部１２と、操作部１１が受付けた指示を前記空気調和機に送信する送信部１４、タイマー１５、前回受付けた指定時刻が記憶されている指定時刻記憶手段１８、日付、曜日、時刻などの暦情報が出荷時から予め数年分格納されている暦記憶手段２０、前記空気調和機の運転のための処理プログラムが予め格納されているＲＯＭ１６、一時的なデータ、例えば受付けた設定温度、指定時刻などが記憶されるＲＡＭ１７及び、内部バスを介してこれらを制御するＣＰＵ１３を備えている。
【００２０】
操作部１１は各種スイッチを備えており、ユーザの操作により前記空気調和機（電気機器）の運転の開始／停止の指示、温度設定／変換の指示、予約の指示、予約完了の指示、指定時刻などを操作信号として受付ける。
【００２１】
表示部１２は、操作部１１が受付けた温度設定／変換の指示に係る温度、指定時刻設定の指示に係る時刻、指定時刻記憶手段１８の記憶に係る指定時刻などが表示される。
【００２２】
指定時刻記憶手段１８は操作部１１が指定時刻を受付けた場合、暦記憶手段２０の暦情報に基づき、受付曜日に対応付けて前記指定時刻を記憶する。指定時刻記憶手段１８はＥＰＲＯＭのように書換え可能な不揮発性メモリであり、その記憶領域の一部は指定時刻管理テーブルとして利用されている。図２は指定時刻管理テーブルの一例を示す概念図である。前記指定時刻管理テーブルには、曜日別の指定時刻が書き込まれている。つまり、前回受付けた指定時刻が、受付けた曜日に対応付けられて書き込まれている。
【００２３】
ＣＰＵ１３はＲＡＭ１７をワーキングエリアとしてＲＯＭ１６に格納された処理プログラムを実行することにより、空気調和機を制御する。また、操作部１１が予約指示を受付けた場合、暦記憶手段２０の暦情報に基づいて前記予約指示の受付曜日に対応する指定時刻を指定時刻記憶手段１８から読み出し、読み出した指定時刻を表示部１２に表示する。
【００２４】
図３は本発明の実施の形態１に係るリモコンのＣＰＵ１３の制御手順を示すフローチャートである。
【００２５】
ユーザの操作部１１の操作により、リモコンの電源オン指示を受付け（Ｓ１０１）、リモコンの電源をオンにする。操作部１１を介して当日の日時を受付け（Ｓ１０２）、ＲＡＭ１７に記憶すると共に、表示部１２に当日の日時を表示する。
【００２６】
次いでＣＰＵ１３は予約指示を受付けたか否かを判定する（Ｓ１０３）。予約指示を受付けていないと判定した場合（Ｓ１０３：ＮＯ）、ＣＰＵ１３は予約指示を受付けるまで待つ。予約指示を受付けたと判定した場合（Ｓ１０３：ＹＥＳ）、ＣＰＵ１３は暦記憶手段２０の暦情報に基づき、指定時刻記憶手段１８から当日の曜日（受付日）に対応する指定時刻を読み出し（Ｓ１０４）、読み出された指定時刻を表示部１２へ表示する（Ｓ１０５）。この場合ユーザは表示部１２に表示された指定時刻で良ければ、操作部１１を操作して予約完了を指示するが、変更の必要がある場合は新しく指定時刻を入力することとなる。
【００２７】
ＣＰＵ１３は指定時刻を受付けたか否かを判定する（Ｓ１０６）。ＣＰＵ１３は指定時刻を受付けていないと判定した場合（Ｓ１０６：ＮＯ）、Ｓ１０８の処理へ移る。一方、ＣＰＵ１３は指定時刻を受付けたと判定した場合（Ｓ１０６：ＹＥＳ）、前記指定時刻を暦記憶手段２０の暦情報に基づいて指定時刻記憶手段１８に、受付けた当日の曜日（受付日）に対応付けて記憶する（Ｓ１０７）と共に、受付けた指定時刻を表示部１２へ表示する。
【００２８】
次いでＣＰＵ１３は予約完了指示を受付けたか否かを判定する（Ｓ１０８）。ＣＰＵ１３は予約完了指示を受付けていないと判定した場合（Ｓ１０８：ＮＯ）、予約完了指示を受付けるまで待つ。一方、ＣＰＵ１３は予約完了指示を受付けたと判定した場合（Ｓ１０８：ＹＥＳ）、指定時刻記憶手段１８に記憶されている前記指定時刻に基づき、タイマー１５をセットする（Ｓ１０９）。その後、指定時刻になるとタイマー１５がその旨をＣＰＵ１３に通知し、ＣＰＵ１３は送信部１４を介して運転開始指示を前記空気調和機へ送信する。
【００２９】
実施の形態１においては、リモコンの電源をオンにした後、ユーザが当日の日時を自ら設定する場合について説明したがこれに限るものでない。例えば、標準電波を用いて自動的に日時の設定が行われるように構成してもよく、電子時計及び該電子時計用の電池を搭載して工場出荷時に日時を合わせておくように構成しても良い。また、リモコンに電池を装着した当日の日時を設定すれば、電池がある間、若しくは、リセットされるまでは、自動的に時刻や暦が進行するようになっているリモコン（いわゆる、時計機能やカレンダー機能を有するリモコン）を使用すれば、実施の形態１におけるＳ１０１及びＳ１０２の設定は、電池をリモコンに装着する際に１回行うだけでよくなり、Ｓ１０３からの操作だけで予約設定を行うことが可能となる。
【００３０】
実施の形態１においては、予約指示を受付けた場合、既に指定時刻記憶手段１８に記憶されている指定時刻が読み出され、表示部１２に表示される場合について説明したが、これに限るものでない。指定時刻記憶手段１８に指定時刻が記憶されていない場合、例えば工場出荷直後の使用においては、予約指示を受付けた場合、所定の時刻が常に表示部１２に表示されるように構成しても良い。
【００３１】
（実施の形態２）
以下、電気機器を遠隔操作するリモコンを本発明の実施の形態２に係る電気機器の例として説明する。実施の形態１と同様に、前記リモコンは空気調和機の遠隔操作に係るものであり、前記リモコンにより遠隔操作される空気調和機は月曜日から日曜日まで運転されるが、曜日によって異なる定時に運転が開始されるとする。実施の形態２に係るリモコンは実施の形態１と同様の構成である。
【００３２】
実施の形態２に係るリモコンは、操作部１１と、表示部１２と、送信部１４、タイマー１５、指定時刻記憶手段１８、暦記憶手段２０、ＲＯＭ１６、ＲＡＭ１７及び、ＣＰＵ１３を備えている。
【００３３】
ＣＰＵ１３は、ＲＡＭ１７をワーキングエリアとしてＲＯＭ１６に格納された処理プログラムを実行することにより、空気調和機を制御する。また、ＣＰＵ１３は操作部１１が予約指示を受け付けた場合、該予約指示の受付時刻が所定時刻以降か否かを判定する。ＣＰＵ１３は前記予約指示の受付時刻が所定時刻以降であると判定した場合、指定時刻記憶手段１８から前記予約指示の受付日の翌日に対応する指定時刻を読み出し、該指定時刻を表示部１２に表示する。一方、前記予約指示の受付時刻が所定時刻以降でないと判定した場合は、指定時刻記憶手段１８から前記予約指示の受付日に対応する指定時刻を読み出し、該指定時刻を表示部１２に表示する。実施の形態２に係るリモコンの他の構成については、実施の形態１に係るリモコンと同様であり、詳細な説明を省略する。
【００３４】
図４及び図５は本発明の実施の形態２に係るリモコンのＣＰＵ１３の制御手順を示すフローチャートである。以下、前記所定時刻が午後１１時である場合を例として、ＣＰＵ１３の制御手順を説明する。
【００３５】
リモコンの電源オン指示を受付け（Ｓ２０１）、リモコンの電源をオンにする。操作部１１を介して当日の日時を受付け（Ｓ２０２）、ＲＡＭ１７に記憶すると共に、表示部１２に当日の日時を表示する。
【００３６】
次いでＣＰＵ１３は予約指示を受付けたか否かを判定する（Ｓ２０３）。予約指示を受付けていないと判定した場合（Ｓ２０３：ＮＯ），ＣＰＵ１３は予約指示を受付けるまで待つ。予約指示を受付けたと判定した場合（Ｓ２０３：ＹＥＳ）、ＣＰＵ１３は前記予約指示を受付けた時刻が所定時刻（午後１１時）以降か否かを判定する（Ｓ２０４）。
【００３７】
ＣＰＵ１３は前記予約指示を受付けた時刻が所定時刻以降でないと判定した場合（Ｓ２０４：ＮＯ）、暦記憶手段２０の暦情報に基づき、当日の曜日（受付日）に対応する指定時刻を指定時刻記憶手段１８から読み出し（Ｓ２０５）、読み出された指定時刻を表示部１２へ表示する（Ｓ２０６）。
【００３８】
一方、ＣＰＵ１３は前記予約指示を受付けた時刻が所定時刻以降であると判定した場合（Ｓ２０４：ＹＥＳ）、暦記憶手段２０の暦情報に基づき、翌日の曜日（受付日の翌日）に対応する指定時刻を指定時刻記憶手段１８から読み出し（Ｓ２０７）、読み出された指定時刻を表示部１２へ表示する（Ｓ２０８）。
【００３９】
次いでユーザは表示部１２に表示された指定時刻で良ければ、操作部１１を操作して予約完了を指示するが、変更の必要がある場合は新しく指定時刻を入力することとなる。以降の処理については、実施の形態１のＳ１０６以降の処理と同様であるので詳細な説明を省略する。
【００４０】
実施の形態１と同様の部分については、同一の符号を付して詳細な説明を省略する。
【００４１】
（実施の形態３）
以下、電気機器を遠隔操作する遠隔操作装置のリモコン１と、リモコン１により遠隔操作される電気機器の空気調和機２とからなる電気装置１００を例として、実施の形態３を説明する。空気調和機２は実施の形態１と同様に月曜日から日曜日まで運転されるが、曜日によって異なる定時に運転が開始されるとする。図６は本発明の実施の形態３に係る電気装置１００の要部構成を示すブロック図である。
【００４２】
実施の形態３に係るリモコン１は、ユーザの操作によって空気調和機２の運転の開始／停止の指示、温度設定／変換の指示、予約の指示、予約完了の指示、指定時刻設定の指示などを受付ける操作部１１と、操作部１１が受付けた温度設定／変換の指示に係る温度、指定時刻などが表示される表示部１２と、操作部１１が受付けた指示を空気調和機２に送信する送信部１５、リモコン１の運転のための処理プログラムが予め格納されているＲＯＭ１３、一時的なデータ、例えば操作部１１が受付けた温度、指定時刻などが記憶されるＲＡＭ１７及び、ＲＡＭ１７をワーキングエリアとしてＲＯＭ１３に格納された処理プログラムを実行することにより、リモコン１を制御するＣＰＵ１６を備えている。
【００４３】
空気調和機２は、隔壁３３により室内部と室外部に分離され、室内部には室内側の熱交換機２１及びファン駆動部３１により駆動される室内側のファン２３を設け、室外部には室外側の熱交換機２２、室外側のファン２４及び圧縮機駆動部３２により駆動される圧縮機２５を設けてある。これにより、例えば冷房運転時には、圧縮機２５からの冷媒を室内側の熱交換機２１で凝縮することにより熱を室外に放熱し、キャピラリーチューブ（図示せず）などの減圧手段を経て、冷媒を室内側の熱交換機２１で膨張させ吸込口から取り入れた空気を冷却した後、冷却した空気を吐出口から吐き出すとともに、切換弁（図示せず）を経て再び冷媒を圧縮機２５へ戻す。
【００４４】
また、空気調和機２は、室内の温度を検出する温度センサ３０、リモコン１からの指示又は標準電波を受信する受信部（データ受信手段）２６、空気調和機２の運転操作用の各種スイッチが設けられた操作部２７、リモコン１に指定時刻を送信する送信部（データ送信手段）２８及び、これらを制御するための制御部４０を備えている。
【００４５】
制御部４０は前回受信した指定時刻が記憶されている指定時刻記憶手段４６、前記標準電波にのせられていた暦情報が記憶されている暦記憶手段４４、空気調和機２の運転のための処理プログラムが予め格納されているＲＯＭ４２、一時的なデータ、例えば受付けた設定温度、指定時刻などが記憶されるＲＡＭ４３及び、内部バスを介してこれらを制御するＣＰＵ４１を備えている。
【００４６】
暦記憶手段４４には、受信部２６が受信した標準電波に乗せられている日付、曜日、時刻などの暦情報が記憶されている。
【００４７】
指定時刻記憶手段４６は、受信部２６が指定時刻を受信した場合、暦記憶手段４４の暦情報に基づき、受信曜日に対応付けて前記指定時刻を記憶する。指定時刻記憶手段４６は書換え可能な不揮発性メモリであり、その記憶領域の一部は実施の形態１と同様に指定時刻管理テーブルとして利用されており、詳細な説明を省略する（図３参照）。
【００４８】
ＣＰＵ４１はＲＡＭ４３をワーキングエリアとしてＲＯＭ４２に格納された処理プログラムを実行することにより、空気調和機２を制御する。また、ＣＰＵ４１は受信部２６が予約指示を受信した場合、暦記憶手段４４の暦情報に基づいて前記予約指示の受信曜日に対応する指定時刻を指定時刻記憶手段４６から読み出し、送信部２８に送出する。
【００４９】
受信部２６は、リモコン１から送信される予約指示、指定時刻、設定温度、及び標準電波を受信し、制御部４０へ送出する。
【００５０】
送信部２８は、指定時刻記憶手段４６に記憶されている指定時刻を受付け、リモコン１の受信部１４へ送信する。
【００５１】
図７及び図８は本発明の実施の形態３に係るリモコン１のＣＰＵ１６及び空気調和機２のＣＰＵ４１の制御手順を示すフローチャートである。
【００５２】
ユーザがリモコン１の操作部１１を操作することにより、ＣＰＵ１６が電源オン指示を受付け（Ｓ４０１）、リモコンの電源をオンにする。
【００５３】
次いでリモコン１のＣＰＵ１６は空気調和機２の運転のスタンバイ指示を受付けたか否かを判定する（Ｓ４０２）。ＣＰＵ１６はスタンバイ指示を受付けていないと判定した場合（Ｓ４０２：ＮＯ）、スタンバイ指示を受付けるまで待つ。一方、ＣＰＵ１６はスタンバイ指示を受付けたと判定した場合（Ｓ４０２：ＹＥＳ）、送信部１５を介して空気調和機２へ運転のスタンバイ指示を送信する（Ｓ４０３）。
【００５４】
空気調和機２のＣＰＵ４１は、リモコン１から運転のスタンバイ指示を受信したか否かを判定する（Ｓ３０１）。ＣＰＵ４１はスタンバイ指示を受信していないと判定した場合（Ｓ３０１：ＮＯ）、スタンバイ指示を受信するまで待つ。一方、ＣＰＵ４１はスタンバイ指示を受信したと判定した場合（Ｓ３０１：ＹＥＳ）、空気調和機２の電源をオンにしてスタンバイ状態にする。次いでＣＰＵ４１は標準電波を受信し（Ｓ３０２）、暦記憶手段４４に該標準電波にのせられている日付、曜日、時刻などの暦のデータを記憶する（Ｓ３０３）。
【００５５】
一方、リモコン１のＣＰＵ１６は予約指示を受付けたか否かを判定する（Ｓ４０４）。ＣＰＵ１６は予約指示を受付けていないと判定した場合（Ｓ４０４：ＮＯ）、予約指示を受付けるまで待つ。ＣＰＵ１６は予約指示を受付けたと判定した場合（Ｓ４０４：ＹＥＳ）、送信部１５を介して空気調和機２へ予約指示を送信する（Ｓ４０５）。
【００５６】
空気調和機２のＣＰＵ４１は、リモコン１から予約指示を受信したか否かを判定する（Ｓ３０４）。ＣＰＵ４１は予約指示を受信していないと判定した場合（Ｓ３０４：ＮＯ）、予約指示を受信するまで待つ。一方、ＣＰＵ４１は予約指示を受信したと判定した場合（Ｓ３０４：ＹＥＳ）、暦記憶手段４４の暦のデータに基づき、当日の曜日（受信日）に対応する指定時刻を指定時刻記憶手段４６から読み出し（Ｓ３０５）、送信部２８に送出し、送信部２８はリモコン１へ読み出された前記指定時刻を送信する（Ｓ３０６）。
【００５７】
リモコン１のＣＰＵ１６は、当日の曜日（受信日）に対応する前記指定時刻を受信し（Ｓ４０６）、該指定時刻を表示部１２に表示する（Ｓ４０７）。この場合ユーザは表示部１２に表示された指定時刻で良ければ、操作部１１を操作して予約完了を指示するが、変更の必要がある場合は新しく指定時刻を入力することとなる。
【００５８】
次いでリモコン１のＣＰＵ１６は指定時刻を受付けたか否かを判定する（Ｓ４０８）。ＣＰＵ１６は指定時刻を受付けていないと判定した場合（Ｓ４０８：ＮＯ）、Ｓ４１０の処理へ移る。一方、ＣＰＵ１６は指定時刻を受付けたと判定した場合（Ｓ４０８：ＹＥＳ）、空気調和機２へ送信部１５を介して受付けた指定時刻を送信する（Ｓ４０９）。
【００５９】
一方、空気調和機２のＣＰＵ４１は、リモコン１から指定時刻を受信したか否かを判定する（Ｓ３０７）。ＣＰＵ４１は指定時刻を受信していないと判定した場合（Ｓ３０７：ＮＯ）、指定時刻を受信するまで待つ。一方、ＣＰＵ４１は指定時刻を受信したと判定した場合（Ｓ３０７：ＹＥＳ）、暦記憶手段４４の暦のデータに基づき、指定時刻記憶手段４６に前記指定時刻を受信した当日の曜日（受信日）に対応付けて記憶する（Ｓ３０８）と共に、受信した指定時刻を表示部１２へ表示する。
【００６０】
その後、リモコン１のＣＰＵ１６は予約完了指示を受付けたか否かを判定する（Ｓ４１０）。ＣＰＵ１６は予約完了指示を受付けていないと判定した場合（Ｓ４１０：ＮＯ）、予約完了指示を受付けるまで待つ。一方、ＣＰＵ１６は予約完了指示を受付けたと判定した場合（Ｓ４１０：ＹＥＳ）、空気調和機２へ送信部１５を介して予約完了指示を送信する（Ｓ４１１）。
【００６１】
一方、空気調和機２のＣＰＵ４１は、リモコン１から予約完了指示を受信したか否かを判定する（Ｓ３０９）。ＣＰＵ４１は予約完了指示を受信していないと判定した場合（Ｓ３０９：ＮＯ）、予約完了指示を受信するまで待つ。ＣＰＵ４１は予約完了指示を受信したと判定した場合（Ｓ３０９：ＹＥＳ）、指定時刻記憶手段４６に記憶されている前記指定時刻に基づき、タイマー２９をセットする（Ｓ３１０）。その後、指定時刻になった場合、タイマー２９がその旨をＣＰＵ４１に通知し、ＣＰＵ４１は空気調和機２の運転を開始する。
【００６２】
実施の形態３においては、標準電波を用いて暦のデータを得る場合について説明したが、これに限るものでない。例えば、出荷時に予め数年分の暦のデータを暦記憶手段４４に格納しておいてもよく、電子時計及び該電子時計用の電池を搭載して工場出荷時に日時を合わせておくように構成してもよい。
【００６３】
実施の形態３に係る電気装置１００は上述の例に限るものでなく、実施の形態２に係るリモコンのように、予約指示を受信した場合、該予約指示の受信時刻が所定時刻以降か否かを判定するように構成し、所定時刻以降である場合、つまり翌日に対する予約設定である可能性の高い場合は翌日に対応する指定時刻を表示部へ表示するようにしても良い。
【００６４】
実施の形態１、２及び３においては指定時刻に運転を開始させる場合を例として説明したが、これに限るものでなく、指定時刻に運転を停止させる場合についても本発明が適用可能であることは言うまでもない。
【００６５】
なお、指定時刻に一定温度になるように設定可能な空気調和機、指定時刻にご飯が炊き上がるように設定可能な炊飯器などの電気機器又は電気装置においても本発明は適用可能である。即ち、前記電気機器又は電気装置は、何れにしても指定時刻を設定する操作が必要であり、本発明を適用することによってユーザが指定時刻を設定し直す作業を軽減させることが出来る。
【００６６】
実施の形態１、２及び３においては曜日別に指定時刻が異なる場合について説明したが、これに限るものでない。例えば平日と週末とに指定時刻が異なる場合、所定日付別（例えば、１０日、２０日、３０日）に指定時刻が異なる場合などにも適用可能であることは言うまでもない。
【００６７】
以上の記載から明らかであるように、本発明の目的は、受付けた指定時刻を受付日に対応付けて記憶する指定時刻記憶手段と、予約指示を受付けた場合、該予約指示の受付日に対応する指定時刻を前記指定時刻記憶手段から読み出し、表示部に表示することにより、例えば曜日によって規則的に運転の開始／停止すべき時刻が異なる場合であっても、予約設定の際、前回の当該曜日の指定時刻が表示され、指定時刻の設定の操作が省略でき、予約設定の操作の簡略化を図ることが出来る電気機器を提供することにある。
【００６８】
また、本発明の他の目的は、予約指示を受け付けた場合、該予約指示の受付時刻が所定時刻以降か否かを判定し、所定時刻以降であると判定した場合は前記予約指示の受付日の翌日に対応する指定時刻を前記指定時刻記憶手段から読み出し、前記表示部に表示するように構成することにより、翌日に対する予約設定である可能性が高い場合、例えば午後１１時以降に予約指示を受付けた場合は該予約指示の受付日の翌日に対応する指定時刻を前記表示部に表示し、翌日の予約設定に対しても予約設定の操作の簡略化を図ることが出来る電気機器を提供することにある。
【００６９】
また、本発明の他の目的は、表示部を備える遠隔操作装置及び該遠隔操作装置により操作される電気機器とからなる電気装置において、前記電気機器が、前回の指定時刻を受信日に対応付けて記憶する指定時刻記憶手段を備え、前記遠隔操作装置から予約指示を受信した場合、該予約指示の受信日に対応する指定時刻を指定時刻記憶手段から読み出し、前記表示部へ表示することにより、例えば規則的であるが、曜日によって設定すべき指定時刻が異なる場合であっても、予約設定の際、前回の当該曜日の指定時刻が前記指定時刻記憶手段から読み出されて前記表示部へ表示されるので、指定時刻の設定の操作が省略でき、予約設定の操作が簡単になる電気装置を提供することにある。
【００７０】
また、本発明の他の目的は、前記電気機器が、前記遠隔操作装置から予約指示を受信した場合、該予約指示の受信時刻が所定時刻以降か否かを判定し、所定時刻以降であると判定した場合は前記予約指示の受信日の翌日に対応する指定時刻を前記指定時刻記憶手段から読み出し、前記遠隔操作装置の受信手段に送信するように構成することにより、翌日に対する予約設定である可能性が高い場合、例えば午後１１時以降に予約指示を受付けた場合は該予約指示の受付日の翌日に対応する指定時刻を表示部に表示し、翌日の予約設定に対しても予約設定の操作を簡単にすることが出来る電気装置を提供することにある。
【図面の簡単な説明】
【００７１】
【図１】本発明の実施の形態１に係るリモコンの要部構成を示すブロック図である。
【図２】指定時刻管理テーブルの一例を示す概念図である。
【図３】本発明の実施の形態１に係るリモコンのＣＰＵの制御手順を示すフローチャートである。
【図４】本発明の実施の形態２に係るリモコンのＣＰＵの制御手順を示すフローチャートである。
【図５】本発明の実施の形態２に係るリモコンのＣＰＵの制御手順を示すフローチャートである。
【図６】本発明の実施の形態３に係る電気装置の要部構成を示すブロック図である。
【図７】本発明の実施の形態３に係るリモコンのＣＰＵ及び空気調和機のＣＰＵの制御手順を示すフローチャートである。
【図８】本発明の実施の形態３に係るリモコンのＣＰＵ及び空気調和機のＣＰＵの制御手順を示すフローチャートである。
【符号の説明】
【００７２】
１  リモコン
２  空気調和機
１１、２７  操作部
１２  表示部
１３、１６、４１  ＣＰＵ
１８、４６  指定時刻記憶手段
２０、４４  暦記憶手段
１４、１５、２８  送信部
１４、２６  受信部
１７  ＲＡＭ
【図１】
2008206098.tif 000003
【図２】
2008206098.tif 000004
【図３】
2008206098.tif 000005
【図４】
2008206098.tif 000006
【図５】
2008206098.tif 000007
【図６】
2008206098.tif 000008
【図７】
2008206098.tif 000009
【図８】
2008206098.tif 000010